【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
少なくとも２自由度の調節可能性で光学及び／又は電子装置をスタンダに取り付けるための球形ヘッド組立体であって、
前記球形ヘッド組立体が、
前記光学及び／又は電子装置が水平又はほぼ水平の位置に調節される、その意図される使用の初期位置を有し、かつ、解除可能に前記スタンダに接続し固定できる第１部品と、
前記光学及び／又は電子装置の前記解除可能な接続及び保持のための支持要素を備える第２部品と、を有し、
前記第１部品及び前記第２部品の中の一方が、少なくとも部分的に球形を持つ本体（２１、９９）を有する球形ヘッド（２０、１００）を備え、
前記第１部品及び前記第２部品の中の他方が、少なくとも部分的に前記球形ヘッド（２０、１００）を取り囲みこれに嵌合される球形区分として形成された空洞を備え、前記球形ヘッド組立体が、前記第１部品と前記第２部品を共に結合しこの結合を解除するための調節手段を備えた、球形ヘッド組立体において、
球形の前記空洞は、前記空洞が属する前記第１部品又は前記第２部品に調節不能に結合されており、
前記第２部品に属する前記本体又は前記空洞において、前記初期位置において垂直中央面を有しかつ球又は前記球形区分の最大直径に沿って延びる溝（２４、１０８）が設けられ、
前記第１部品において前記垂直中央面内にある位置に、軸線を有する円形対称スタッド（２５、１０３）が設置され、
前記円形対称スタッド（２５、１０３）が前記溝（２４、１０８）の中に嵌合でき、前記円形対称スタッド（２５、１０３）が嵌合される位置において、前記円形対称スタッド（２５、１０３）が前記溝（２４、１０８）に沿った前記第１部品と前記第２部品の相対変位を可能にし、かつ前記相対変位を案内し、前記円形対称スタッド（２５、１０３）が、前記第１部品及び前記第２部品の相対変位した位置の各々において前記円形対称スタッド（２５、１０３）の軸線の周りで前記結合された２つの球形区分の回転を可能にし、前記調節手段が、前記第１部品及び前記第２部品のうち球面空洞を備える部品に配置され、
前記調節手段が、前記球形の本体（２１、９９）の前記球形区分を変形させることなく前記第１部品及び前記第２部品の位置を任意の要求された調節位置で固定するために、形状がぴったり合う前記空洞及び前記球形の本体（２１、９９）を互いに押圧する、ことを特徴とする、球形ヘッド組立体。
【請求項２】
前記円形対称スタッド（２５、１０３）が、前記溝（２４、１０８）から解除可能に固定され、解除された位置において、前記第１部品及び前記第２部品が、３自由度で相互に対して移動できる、ことを特徴とする、請求項１に記載の球形ヘッド組立体。
【請求項３】
前記円形対称スタッド（２５、１０３）が、バネ（４）の付勢力に抵抗して軸方向に移動できかつ設定された力の影響を受けて前記溝（２４）の領域から外れることができる、ことを特徴とする、請求項２に記載の球形ヘッド組立体。
【請求項４】
前記円形対称スタッド（２５）が、前記球形ヘッド組立体から延びて手で動かせるボタン（３４）によって２つの位置の一方へ移動できる係合解除装置に結合され、第１位置において、前記円形対称スタッド（２５）が前記溝（２４）に挿入され、他方の位置において前記円形対称スタッド（２５）が前記溝（２４）のスペースの外へ移動される、ことを特徴とする、請求項１に記載の球形ヘッド組立体。
【請求項５】
支持された前記光学及び／又は電子装置が傾動するときその影響を受けて生じる傾動トルクの少なくとも部分的な相殺のために、前記円形対称スタッド（２５、１０３）と前記溝（２４、１０８）との間の相対的角度位置の増大に伴って増大する付勢力を与える可撓性付勢手段が前記第１部品と前記第２部品との間に設けられる、ことを特徴とする、請求項１〜４のいずれか１項に記載の球形ヘッド組立体。
【請求項６】
前記球形本体（２１）が、内部空洞（３５）を持ち、前記可撓性付勢手段が、少なくとも部分的に前記内部空洞（３５）の中に配置されたバネ（３９、４９）を含む、ことを特徴とする、請求項５に記載の球形ヘッド組立体。
【請求項７】
前記第１部品が、最上部から開いた円筒形空洞（１１）を有しかつ垂直軸を有するハウジング（１０）であり、円筒形外装面を有する案内インサート（１８）が嵌合し、前記球面空洞が前記案内インサート（１８）の内部に作られ、前記円形対称スタッド（２５）が前記円筒形空洞（１１）の前記垂直軸に位置する軸（１２）を有しかつ前記ハウジング（１０）に結合され、前記第２部品が、前記円筒形空洞（１１）より小さいネック部（２２）に接続され前記円筒形空洞（１１）から外へ延びる球形本体（２１）を有する球形ヘッド（２０）であり、支持された前記光学及び／又は電子装置を保持する前記支持要素が前記ネック部（２２）の端部に配置される、ことを特徴とする、請求項１又は２に記載の球形ヘッド組立体。
【請求項８】
スロット（１４）が前記ハウジング（１０）の壁に設けられ、前記調節手段がねじ切りボルト（１６）と前記ボルト（１６）と協働して前記スロット（１４）によって分離された前記ハウジング（１０）の部分を圧縮する調節ヘッド（１５）とを含む、ことを特徴とする、請求項７に記載の球形ヘッド組立体。
【請求項９】
前記球形本体（２１）において、閉鎖し相互に角度を成すそれぞれの垂直中央面を有する２つの溝（２４ａ、２４ｂ）が設けられ、前記２つの溝（２４ａ、２４ｂ）が前記球形本体（２１）の前記垂直軸の下端において相互に遭遇し交差し、前記球形ヘッド（２０）の初期位置において前記円形対称スタッド（２５）が前記２つの溝（２４ａ、２４ｂ）のいずれか１つの中に嵌合できる、ことを特徴とする、請求項７に記載の球形ヘッド組立体。
【請求項１０】
前記ハウジング（１０）の前記内部において、前記案内インサート（１８）のすぐ下方に、球形を持つ中間領域を有しかつ前記ハウジング（１０）の前記内部で当接するリム（６８）を有しかつ中央部に開口を有する案内カップ（６５）が配置され、付勢要素（６６）が、前記案内カップ（６５）の前記球形ヘッド（２０）向きの面とは反対の外面に結合され、前記付勢要素（６６）の接続面が前記中間領域に押圧されて、前記面に沿って滑動でき、案内スタッド（７０）及び前記付勢要素（６６）が剛体ユニットを構成し、外部から調節できかつ任意の瞬間的位置において前記付勢要素（６６）を前記案内カップ（６５）に及び前記案内カップ（６５）を前記ハウジング（１０）に押圧できるが、前記ハウジング（１０）に対する前記球形ヘッド（２０）の移動の可能性には影響を与えない押圧手段が設けられる、ことを特徴とする、請求項７に記載の球形ヘッド組立体。
【請求項１１】
前記溝（２４）が、前記球形ヘッド（２０）の前記本体の内部へ深く延び、前記溝（２４）の中に突出する前記案内スタッド（７０）の区分において、バネ（７２）によって支持された細長いスリーブ（７１）が設置され、前記球形ヘッド（２０）の内部において、前記案内スタッド（７０）の前記軸の延長部に孔が設置され、調節ロッド（７６）が、この孔の中に突出し、前記調節ロッド（７６）が、前記球形ヘッド（２０）の前記ネック部（２２）から外にわずかに延びる外側端を有し、前記調節ロッド（７６）の内側端が前記スリーブ（７１）の開口の中に嵌合できる球形頭部（７８）として設計され、前記調節ロッド（７６）の押圧状態において、前記調節ロッドが前記スリーブ（７１）と線形接続し、かつバネ付勢基準状態において、前記球形頭部（７８）が、前記スリーブ（７１）の前記軸と前記調節ロッド（７６）の軸が所与の範囲内で任意の角度位置を取ることができるようにし、前記ハウジング（１０）から外に延びる前記球形ヘッド（２０）の部分に、レベリングを容易にするレベリングバブル（８０）が配置される、ことを特徴とする、請求項１０に記載の球形ヘッド組立体。
【請求項１２】
前記第１部品が、前記球形ヘッド（１００）に接続されたベース（１０１）によって構成され、前記球形ヘッドが前記スタンダへの解除可能な接続部を含み、前記円形対称スタッド（１０３）が前記ベース（１０１）の反対側の前記球形ヘッド（１００）の前記球形本体（９９）の上端から突出し、前記第２部品が、前記球形ヘッド（１００）の前記球形本体（９９）を部分的に取り囲むブラケット（１０５）であり、前記ブラケット（１０５）の内面が球体の赤道線を含みかつ前記球形本体（９９）に嵌る球面空洞区分として設計され、前記溝（１０８）が前記ブラケット（１０５）の内部に配置され、前記調節手段が、前記ブラケット（１０５）をその中に配置された前記球形ヘッド（１００）の前記本体（９９）に押圧する押圧構造である、ことを特徴とする、請求項１に記載の球形ヘッド組立体。
【請求項１３】
前記ブラケット（１０５）が、外部から前記ブラケットに取り付けられ固定される支持部材（１１０）によって取り囲まれ、保持された前記光学及び／又は電子装置への接続部が前記支持部材（１１０）の最上部に設けられ、前記調節手段が、前記支持部材（１１０）の側面に配置され前記取り囲まれた球形ヘッドを外側から押圧するボルトのボタン（１１８）である、ことを特徴とする、請求項１２に記載の球形ヘッド組立体。
【請求項１４】
前記円形対称スタッド（１０３）の両側において、前記溝（１０８）の中にそれぞれのバネ（１２２、１２３）が配置され、前記バネ（１２２、１２３）の端部が前記溝（１０８）のそれぞれの端部によって支持され、保持された前記光学及び／又は電子装置が傾動したとき生じるトルクを少なくとも部分的に相殺するのに役立つ、ことを特徴とする、請求項１２又は１３に記載の球形ヘッド組立体。
【請求項１５】
前記球形ヘッド（１００）が２つの部品から成り、その外側部品が、最上部において前記溝（１０８）の中で案内される前記円形対称スタッド（１０３）を保持しかつ内側球面空洞を有する球形シェル（１２４）であり、前記第２部品が、前記球形シェル（１２４）の内部に直接的又は案内インサート（１２６）を介して配置され案内されかつ前記ベース（１０１）に接続されるスロット付き内側球体（１２５）であり、押圧部材好ましくは調節ボルト（１２９）が、前記内側球体（１２５）の前記スロット付き部分の間に設置される、ことを特徴とする、請求項１２〜１４のいずれか１項に記載の球形ヘッド組立体。
【請求項１６】
前記球形シェル（１２４）の目に見える外側部分に、最上部から開いたカットが設けられ、レベリングバブル（１３１）が前記カットの中に配置される、ことを特徴とする、請求項１５に記載の球形ヘッド組立体。